(57)【要約】 【課題】  独立した駆動回路、エレクトロルミネセンス素子を装備させなくとも、両方向で画像を表示することができる装置を提供する。【解決手段】  エレクトロルミネセンスディスプレイ装置１０は、ディスプレイパネル１４を駆動する駆動回路を含み、駆動回路は、制御ユニット３２、スキャンドライバ３４とデータドライバ３６を含む。ディスプレイパネル１４は、Ｎ列の画素列から構成された画素アレイを含む。各画素は、スキャンドライバ３４に接続されたスキャンライン３４−２と、データドライバ３６に接続されたデータライン３６−２の交差点に近接して形成される。制御ユニット３２は、径路Ａを通して信号を伝送し、画素アレイを第一画素列からＮ列の画素列への順番に基づく第一順序でオンにさせ、また、径路Ｂを通して信号を伝送し、画素アレイをＮ列の画素列から第一画素列への順番に基づく第二順序でオンにさせることができる。【選択図】  図２ 
2005196155.tif 000002
【特許請求の範囲】
【請求項１】
Ｎ列（Ｎは１より大きい正の整数である）の画素列を有する画素アレイを備えるディスプレイパネル、
前記画素列にそれぞれ接続された複数のスキャンドライバ、および
前記スキャンドライバに接続された制御ユニット、を含むエレクトロルミネセンスディスプレイ装置であって、
前記制御ユニットは、第一画素列から第Ｎ列の画素列へ順番に前記画素アレイを駆動する第一モードと、第Ｎ列の画素列から第一画素列へ順番に前記画素アレイを駆動する第二モード、を含み、
前記ディスプレイパネルが、相反する第一方向及び第二方向でユーザーに対して画像を表示させることができるようになっているエレクトロルミネセンスディスプレイ装置。
【請求項２】
ディスプレイパネルに接続される操作部材を備える請求項１に記載のエレクトロルミネセンスディスプレイ装置。
【請求項３】
ディスプレイパネルが操作部材から離れた位置にあるとき、ディスプレイ装置が第一モードで操作される請求項２に記載のエレクトロルミネセンスディスプレイ装置。
【請求項４】
ディスプレイパネルが操作部材と接触する位置にあるとき、ディスプレイ装置が第一モードで操作される請求項２に記載のエレクトロルミネセンスディスプレイ装置。
【請求項５】
操作部材、
前記操作部材と互いの面が接触するようにして折り畳み可能なディスプレイパネル、
前記ディスプレイパネルの中に形成され、Ｎ列（Ｎは１より大きい正の整数）の画素列を有する画素アレイ、
前記画素列に接続され、前記画素アレイを駆動するスキャンドライバを備えるエレクトロルミネセンスディスプレイ装置であって、
前記ディスプレイパネルが折り畳まれているときには、第一画素列から第Ｎ画素列への順番に基づく第一順序で前記画素アレイを駆動し、
前記ディスプレイパネルが折り畳まれていないときには、第Ｎ画素列から第一画素列への順番に基づく第二順序で前記画素アレイを駆動するようになっているエレクトロルミネセンスディスプレイ装置。
【請求項６】
スキャンドライバに接続され、該スキャンドライバのスキャン順序を制御する制御ユニットを備える請求項５に記載のエレクトロルミネセンスディスプレイ装置。
【請求項７】
ディスプレイパネルは、少なくとも一方の面にマスクを備える請求項１〜請求項６のいずれか１項に記載のエレクトロルミネセンスディスプレイ装置。
【請求項８】
マスクは、巻き軸蓋（ｓｃｒｏｌｌ  ｌｉｄ）を備える請求項７に記載のエレクトロルミネセンスディスプレイ装置。
【請求項９】
マスクは、エレクトロクロミック膜を含む請求項７又は請求項８に記載のエレクトロルミネセンスディスプレイ装置。
【請求項１０】
両面で表示可能な単一のディスプレイパネルを有し、前記ディスプレイパネルの中には、Ｎ列（Ｎは１より大きい正の整数である）の画素列を有する画素アレイが形成されているエレクトロルミネセンスディスプレイ装置の駆動方法であって、
前記ディスプレイパネルを一方から見るときには、第一画素列から第Ｎ画素列への順番に基づく第一順序で前記画素アレイを駆動するステップ、および
前記ディスプレイパネルを他方から見るときには、第Ｎ画素列から第一画素列の順番に基づく第二順序で前記画素アレイを駆動するステップ、を含む駆動方法。
【発明の詳細な説明】
【技術分野】
【０００１】
本発明は、ディスプレイ装置に関し、特に、透明電極を備えるエレクトロルミネセンスディスプレイ装置およびエレクトロルミネセンスディスプレイ装置の駆動方法に関するものである。
【背景技術】
【０００２】
典型的なエレクトロルミネセンスディスプレイ装置は、液晶ディスプレイのバックライトの代わりに発光素子を用いて光を出し、戸外での使用を可能とするものである。エレクトロルミネセンスディスプレイ装置を用いた電子製品は、ノート型パソコン、テレビ、デジタル時計、計算機、電話と携帯電話等がある。
【０００３】
いくつかの従来の電子製品、例えば、携帯電話は、シェル型（Ｓｈｅｌｌ−ｔｙｐｅ）を有する外観に設計され、操作部材と互いの面が接するように折り畳むことができるディスプレイパネルを備える。この操作部材は、シェル型電子製品のユーザーにキーボードを通して情報を入力させる。このディスプレイパネルは、メインパネルとサブパネルを含むことができる。一般的に、メインパネルは、電子製品の主なディスプレイ機能を提供し、サブパネルは、例えば、着信表示、または時間表示などの副次的なディスプレイ機能を提供する。一般のメインパネルとサブパネルは、互いに独立し、且つ、各自の駆動回路とエレクトロルミネセンス素子を備える。
【特許文献１】台湾公告第５５６４４７号公報
【発明の開示】
【発明が解決しようとする課題】
【０００４】
しかし、独立した駆動回路、エレクトロルミネセンス素子を装備させると、両面パネルデザインの電子製品は、サブパネルのディスプレイ機能も提供することから、より高い製造コストとより大きい体積を必要とする。そこで、本発明は、エレクトロルミネセンスディスプレイ装置およびその駆動方法を提供し、上記した従来技術の制限と欠点によって生じる一つまたは複数の問題を排除することを目的とする。
【課題を解決するための手段】
【０００５】
本発明は、Ｎ列（Ｎは１より大きい正の整数である）の画素列を有する画素アレイを備えるディスプレイパネル、前記画素列にそれぞれ接続された複数のスキャンドライバ、および、前記スキャンドライバに接続された制御ユニット、を含むエレクトロルミネセンスディスプレイ装置であって、前記制御ユニットは、第一画素列から第Ｎ列の画素列へ順番に前記画素アレイを駆動する第一モードと、第Ｎ列の画素列から第一画素列へ順番に前記画素アレイを駆動する第二モード、を含み、前記ディスプレイパネルが、相反する第一方向及び第二方向でユーザーに対して画像を表示させることができるようになっているエレクトロルミネセンスディスプレイ装置を提供する。
【０００６】
このエレクトロルミネセンスディスプレイ装置は、更に、ディスプレイパネルに接続される操作部材を備えても良い。
【０００７】
また、操作部材を備える装置において、上述のように折り畳み可能な装置においては、ディスプレイパネルが折り畳まれているときには、第一画素列から第Ｎ画素列への順番に基づく第一順序で画素アレイを駆動し、ディスプレイパネルが折り畳まれていないときには、第Ｎ画素列から第一画素列への順番に基づく第二順序で画素アレイを駆動するようになっている。
【０００８】
尚、本発明においては、ディスプレイパネルの片面又は両面にマスクを備えていても良い。
【０００９】
そして、本発明は、エレクトロルミネセンスディスプレイ装置の駆動方法を提供する。この方法は、両面で表示可能な単一のディスプレイパネルを有し、前記ディスプレイパネルの中には、Ｎ列（Ｎは１より大きい正の整数である）の画素列を有する画素アレイが形成されているエレクトロルミネセンスディスプレイ装置の駆動方法であって、前記ディスプレイパネルを一方から見るときには、第一画素列から第Ｎ画素列への順番に基づく第一順序で前記画素アレイを駆動するステップ、および、前記ディスプレイパネルを他方から見るときには、第Ｎ画素列から第一画素列のへの順番に基づく第二順序で前記画素アレイを駆動するステップ、を含む駆動方法である。
【発明の効果】
【００１０】
本発明によれば、ディスプレイの両面で表示可能な単一のディスプレイパネルを用い、独立した駆動回路、エレクトロルミネセンス素子を装備させなくとも、両方向で画像を表示することができる装置を提供することができ、製造コストと製品体積を減少することができる。
【発明を実施するための最良の形態】
【００１１】
本発明についての目的、特徴、長所が一層明確に理解されるよう、以下に実施形態を例示し、図面を参照にしながら、詳細に説明する。
【実施例】
【００１２】
図１Ａ、１Ｂは、本発明の実施例に基づいたエレクトロルミネセンスディスプレイ装置１０の概略図を示している。エレクトロルミネセンスディスプレイ装置１０は、操作部材１２と単一のディスプレイパネル１４を含み、操作部材１２に折り畳むことができる。操作部材１２は、キーボード（図示せず）を含み、エレクトロルミネセンスディスプレイ装置１０のユーザー２０が情報を入力できるようになっている。ディスプレイパネル１４は、ユーザー２０にディスプレイパネルの両面１４−２、１４−４で表示される画像を示す。図１Ａのように、エレクトロルミネセンスディスプレイ装置１０が第一モードで操作されるとき、即ち、ディスプレイパネル１４が折り畳まれていない場合、または、ディスプレイパネル１４が操作部材１２の位置から離れた位置にある場合、ユーザー２０は、一方の面１４−２から表示された画像を見るようになっている。図１Ｂのように、エレクトロルミネセンスディスプレイ装置１０が第二モードで操作される時、即ち、ディスプレイパネル１４が折り畳まれている場合、または、操作部材１２の位置に接触した位置にある場合、ユーザー２０は、他方の面１４−４に表示された画像を見るようになっている。
【００１３】
図２は、図１Ａと１Ｂのエレクトロルミネセンスディスプレイ装置１０の駆動回路図を示している。エレクトロルミネセンスディスプレイ装置１０は、ディスプレイパネル１４を駆動する駆動回路（符号なし）を備える。この駆動回路は、更に、制御ユニット３２、少なくとも一つのスキャンドライバ３４、少なくとも一つのデータドライバ３６を含む。ディスプレイパネル１４は、Ｎ列の画素列から構成された画素アレイを含み、Ｎは１より大きい正の整数である。各画素は、少なくとも一つのスキャンドライバ３４に接続されたスキャンライン３４−２と、少なくとも一つのデータドライバ３６に接続されたデータライン３６−２の交差点に近接して形成される。典型的な画素２４は、制御回路２４−２とエレクトロルミネセンス装置２４−４を備える。制御回路２４−２は、スキャンライン３４−２を通して、対応するスキャンドライバ３４によってオン、またはオフにされる電界効果トランジスタ（図示せず）と、コンデンサ（図示せず）を含むことができる。エレクトロルミネセンス装置２４−４は、エレクトロルミネセンス層（図示せず）を含み、ディスプレイパネル１４の両面１４−２、１４−４に向けて発光する。本発明の実施例では、エレクトロルミネセンス装置２４−４は、有機発光ダイオード２６を含み、有機発光ダイオード２６は更に、第一透明電極２６−２、第二透明電極２６−４を含み、第一透明電極２６−２と第二透明電極２６−４との間に有機エレクトロルミネセンス層（図示せず）が形成され。例を挙げると、第一透明電極２６−２と第二透明電極２６−４は、インジウムスズ酸化物（ＩＴＯ）から構成することができる。
【００１４】
この装置の操作では、スキャンドライバ３４は、制御ユニット３２から送られた信号に応えて、ディスプレイ１４に形成された選択された画素列をオンにする。エレクトロルミネセンスディスプレイ装置１０の操作モードに基づいて、制御ユニット３２は、対応する径路を選び、信号をスキャンドライバ３４に送る。仮に、エレクトロルミネセンスディスプレイ装置１０が第一モードで操作されるとき、制御ユニット３２は、径路Ａを通して信号を伝送し、画素アレイを第一画素列からＮ列の画素列への順番に基づく第一順序でオンにさせる。仮に、エレクトロルミネセンスディスプレイ装置１０が第二モードで操作される時、制御ユニット３２は、径路Ｂを通して信号を伝送し、画素アレイをＮ列の画素列から第一画素列への順番に基づく第二順序でオンにさせる。
【００１５】
図３は、図１Ａと１Ｂのエレクトロルミネセンスディスプレイ装置１０の表示結果をそれぞれ示している。図３Ａで示すように、第一モードでは、ユーザー２０は、ディスプレイパネル１４の一方の面１４−２を見ており、制御ユニット３２は、径路Ａを通して信号を提供し、スキャンライン３４−２によって選んだ画素列を順次オンにする。次に、画像データ、例えば、データドライバ３６から提供された文字列“ＡＵ”は、データライン３６−２を通して伝送される。スキャンドライバ３４が第一順序で画素から構成されたアレイを駆動することから、ディスプレイ１４の一方の面１４−２から見た時、画像データは、“ＡＵ”と表示される。
【００１６】
図３Ｂで示すように、第二モードでは、ユーザー２０は、ディスプレイパネル１４の他方の面１４−４を見ており、制御ユニット３２は、径路Ｂを通して信号を提供する。スキャンドライバ３４が第二順序で画素から構成されたアレイを駆動することから、仮にディスプレイ１４の一方の面１４−２から見た時、画像データは、逆さまの“"∩”と表示される。しかし、ディスプレイパネル１４の他方の面１４−４から見てユーザー２０の目にちょうど合えば、“ＡＵ”と表示される。
【００１７】
図４は、本発明のもう一つの実施例に基づいたエレクトロルミネセンスディスプレイ装置１０のディスプレイパネル１４を示している。図４で示すように、エレクトロルミネセンスディスプレイ装置１０は、更に、ディスプレイ１４の一面に設置されたマスク４０を含み、もう一つ側で見た時、表示された画像の目に見える度合い、またはコントラストを増加する。本発明の実施例では、マスク４０は、巻き軸蓋（ｓｃｒｏｌｌ  ｌｉｄ）を含み、手動制御を可能にさせる。その他の実施例では、マスク４０は、エレクトロクロミック膜（ｅｌｅｃｔｒｏｈｒｏｍｉｃ  ｆｉｌｍ）を含み、無色またはほぼ無色であり、光を透過させる。また、電位を加えた時、黒く、または不透明になり、光線を弱める。実施例では、マスク４０は、ディスプレイパネル１４の両面側にも設置することができ、見る側にあるマスク４０を透明にさせ、もう一つ側のマスク４０は、手動または電力によって不透明にすることができる。
【００１８】
本発明はまた、エレクトロルミネセンスディスプレイ装置１０の駆動方法を提供する。まず、その両面１４−２と１４−４が透明で、単一のディスプレイパネル１４で表示できるエレクトロルミネセンスディスプレイ装置１０を提供する。ディスプレイパネル１４は、Ｎ列の画素列の画素アレイを有し、Ｎは、１より大きい正の整数である。続いて、仮に、ディスプレイパネル１４の一方の面１４−２から見たとき、第一列の画素列から第Ｎ列の画素列への順番に基づく第一順序で画素アレイをオンにする。また、仮に、ディスプレイパネル１４の他方の面１４−４から見たとき、第Ｎ列の画素列から第一列の画素列への順番に基づく第二順序で画素アレイをオンにする。
【図面の簡単な説明】
【００１９】
【図１】本発明の実施例に基づいたエレクトロルミネセンスディスプレイ装置の概略図を示している。
【図２】図１Ａ、１Ｂのレクトロルミネセンスディスプレイ装置の駆動回路図を示している。
【図３】図１Ａ、１Ｂのエレクトロルミネセンスディスプレイ装置の表示結果をそれぞれ示している。
【図４】本発明の実施例に基づいたエレクトロルミネセンスディスプレイ装置のディスプレイパネルを示している。
【符号の説明】
【００２０】
１０  エレクトロルミネセンスディスプレイ装置
１２  操作部材
１４  ディスプレイパネル
１４−２、１４−４  ディスプレイパネル面
２０  ユーザー
２４  画素
２４−２  制御回路
２４−４  エレクトロルミネセンス装置
２６  有機発光ダイオード
２６−２  第一透明電極
２６−４  第二透明電極
３２  制御ユニット
３４  スキャンドライバ
３４−２  スキャンライン
３６  データドライバ
３６−２  データライン
４０  マスク
Ａ、Ｂ  径路
【図１】
2005196155.tif 000003
【図２】
2005196155.tif 000004
【図３】
2005196155.tif 000005
【図４】
2005196155.tif 000006